(57)【要約】【課題】レンズ鏡筒に対する回転方向位置を正しい位置にセット位置していない状態でフードをレンズ鏡筒に対して取り付けようとしたときに、アクセサリー側のバヨネット爪がレンズ鏡筒の隣接するレンズ側バヨネット爪の間に形成された隙間を通過する前にアクセサリーのレンズ鏡筒に対する回転方向位置が正しい位置に位置していないことを撮影者が認識可能なレンズ鏡筒とアクセサリーのバヨネット構造を提供する。【解決手段】第一円弧状部１７と第二円弧状部１８の外径を異ならせかつアクセサリー側第一バヨネット爪３１とアクセサリー側第二バヨネット爪３２の内径を異ならせることにより、レンズ鏡筒１０とアクセサリー２５の相対回転位置が所定位置になったときのみ、アクセサリー側第一バヨネット爪が第一円弧状部１７を通過可能かつアクセサリー側第二バヨネット爪が第二円弧状部１８を通過可能とした。【選択図】図３
2016042107.tif 000002
【特許請求の範囲】
【請求項１】
複数のレンズ側バヨネット爪及び隣接する上記レンズ側バヨネット爪の間に位置する複数の円弧状部を有するレンズ鏡筒と、
アクセサリー側バヨネット爪を具備するアクセサリーと、を備え、
隣接する上記レンズ側バヨネット爪の間の隙間を通過させた上記アクセサリー側バヨネット爪を上記レンズ側バヨネット爪の直後に位置させることにより、上記レンズ鏡筒に対する上記アクセサリーの取付状態を保持するバヨネット構造において、
上記レンズ鏡筒の上記円弧状部が、対をなす第一円弧状部及び該第一円弧状部とは周方向位置が異なりかつ同対数の第二円弧状部を有し、
上記アクセサリーの上記アクセサリー側バヨネット爪が、対をなすアクセサリー側第一バヨネット爪及び該アクセサリー側第一バヨネット爪とは周方向位置が異なりかつ同対数のアクセサリー側第二バヨネット爪を有し、
上記第一円弧状部と上記第二円弧状部の外径を異ならせかつ上記アクセサリー側第一バヨネット爪と上記アクセサリー側第二バヨネット爪の内径を異ならせることにより、上記レンズ鏡筒と上記アクセサリーの相対回転位置が所定位置になったときのみ、上記アクセサリー側第一バヨネット爪が上記第一円弧状部を通過可能かつ上記アクセサリー側第二バヨネット爪が上記第二円弧状部を通過可能としたことを特徴とするレンズ鏡筒とアクセサリーのバヨネット構造。
【請求項２】
請求項１記載のレンズ鏡筒とアクセサリーのバヨネット構造において、
上記レンズ鏡筒の外周面に、外周側に向かって突出する偶数対の上記レンズ側バヨネット爪及び該レンズ側バヨネット爪よりも外径が小さくかつ同数の上記円弧状部を設け、
上記アクセサリーが、上記レンズ鏡筒の上記外周面に対して遊嵌可能な取付孔を有し、
該取付孔の内周面に、内周側に向かって突出しかつ上記レンズ側バヨネット爪と同数の偶数対を有する上記アクセサリー側バヨネット爪を設け、
上記アクセサリー側第一バヨネット爪の周方向長をＦ、上記アクセサリー側第二バヨネット爪の周方向長をＧ、上記第一円弧状部の周方向長をＨ、上記第二円弧状部の周方向長をＩ、とするとき、以下の条件式（１）を満足するレンズ鏡筒とアクセサリーのバヨネット構造。
Ｈ、Ｉ＞Ｆ、Ｇ・・・式（１）
【請求項３】
請求項１または２記載のレンズ鏡筒とアクセサリーのバヨネット構造において、
上記レンズ鏡筒の外周面に、外周側に向かって突出する偶数対の上記レンズ側バヨネット爪及び該レンズ側バヨネット爪よりも外径が小さくかつ同数の上記円弧状部を設け、
上記アクセサリーが、上記レンズ鏡筒の上記外周面に対して遊嵌可能な取付孔を有し、
該取付孔の内周面に、内周側に向かって突出しかつ上記レンズ側バヨネット爪と同数の偶数対を有する上記アクセサリー側バヨネット爪を設け、
対をなす上記アクセサリー側第一バヨネット爪の内径をＡ、対をなす上記アクセサリー側第二バヨネット爪対の内径をＢ、対をなす上記第一円弧状部の外径をＣ、対をなす上記第二円弧状部の外径をＤ、上記取付孔の内周面と該内周面に対する上記レンズ鏡筒の対向部の径方向クリアランスの総量をＥ、とするとき、以下の条件式（２）（３）を満足するレンズ鏡筒とアクセサリーのバヨネット構造。
Ａ＞Ｃ＞Ｂ＞Ｄ・・・式（２）
Ｃ−Ｂ−Ｅ／２＞０・・・式（３）
【請求項４】
請求項３記載のレンズ鏡筒とアクセサリーのバヨネット構造において、
上記取付孔の上記内周面の上記アクセサリー側バヨネット爪より前方の部位に、上記アクセサリー側第一バヨネット爪とは周方向位置が異なりかつ同対数のアクセサリー側第三バヨネット爪及び上記アクセサリー側第二バヨネット爪とは周方向位置が異なりかつ同対数のアクセサリー側第四バヨネット爪を設け、
対をなす上記アクセサリー側第三バヨネット爪の内径をＡとし、
対をなす上記アクセサリー側第四バヨネット爪の内径をＢとしたレンズ鏡筒とアクセサリーのバヨネット構造。
【請求項５】
請求項２から４のいずれか１項記載のレンズ鏡筒とアクセサリーのバヨネット構造において、
上記レンズ側バヨネット爪を周方向に９０°間隔で四つ設け、
上記第一円弧状部対、上記第二円弧状部対、上記アクセサリー側第一バヨネット爪対、上記アクセサリー側第二バヨネット爪対、上記アクセサリー側第三バヨネット爪対、及び上記アクセサリー側第四バヨネット爪対を周方向に１８０°間隔で一対ずつ設けたレンズ鏡筒とアクセサリーのバヨネット構造。
【発明の詳細な説明】
【技術分野】
【０００１】
本発明はレンズ鏡筒とアクセサリーのバヨネット構造に関する。
【背景技術】
【０００２】
カメラのレンズ鏡筒の前端部に対してフードなどのアクセサリーをバヨネット構造を利用して接続することが従来より行われている。特許文献１、２はこの種の発明の従来例である。
【０００３】
特許文献１、２のレンズ鏡筒の外周面の前端部には外周側に向かって突出しかつ直後に位置する部位との間に３つの円弧状溝（隙間）を形成する３つのレンズ側バヨネット爪が周方向に１２０°間隔で突設してある。フード（アクセサリー）には円形貫通孔からなる取付孔が形成してあり、取付孔の内周面には内周側に向かって突出する３つのフード側バヨネット爪が周方向に１２０°間隔で設けてある。３つの円弧状溝のうちの一つは、その光軸方向寸法が残りの二つより短い（狭い）狭幅円弧状溝となっている。また３つのフード側バヨネット爪のうちの一つは、その光軸方向寸法が残りの二つより短い（薄い）薄型フード側バヨネット爪となっている。この薄型フード側バヨネット爪は狭幅円弧状溝に対して嵌合（挿入）可能であるが、残りの二つのフード側バヨネット爪は狭幅円弧状溝に対して嵌合（挿入）不能である。
【０００４】
レンズ鏡筒の前方に位置させたフードの光軸回りの回転方向位置を所定位置にセットした上でこのフードを後方に向かって移動させると、フードの３つのフード側バヨネット爪が隣接するレンズ側バヨネット爪の間に形成された３つの円弧状隙間を後方に通過し３つの円弧状溝と同じ光軸方向位置に到達する。この状態でフードを一方向に回転させると、薄型フード側バヨネット爪が狭幅円弧状溝に嵌合すると共に残りの二つのフード側バヨネット爪が残りの二つの円弧状溝に対してそれぞれ嵌合し、フードがレンズ鏡筒の前端部に取り付けられる。
【０００５】
一方、レンズ鏡筒の前方に位置させたフードの光軸回りの回転方向位置を上記所定位置から１２０°ずれた位置に位置させた上でこのフードを後方に向かって移動させると、フードの３つのフード側バヨネット爪が３つの円弧状隙間を後方に通過し３つの円弧状溝と同じ光軸方向位置に到達する。この状態でフードを一方向に対して回転させると、薄型フード側バヨネット爪とは異なるフード側バヨネット爪が狭幅円弧状溝に嵌合しようとする。しかしこのフード側バヨネット爪の厚み（光軸方向寸法）は狭幅円弧状溝より大きいので、狭幅円弧状溝に対する嵌合（挿入）が規制される。そのためカメラの使用者（撮影者）はフードのレンズ鏡筒に対する相対的な回転方向位置が正しくないことを認識できる。
【先行技術文献】
【特許文献】
【０００６】
【特許文献１】特開２００１−２６４８５１号公報
【特許文献２】特開２００１−２６４８５２号公報
【発明の概要】
【発明が解決しようとする課題】
【０００７】
しかし特許文献１、２の発明では、フードのフード側バヨネット爪がレンズ鏡筒側の円弧状隙間を後方に通過して円弧状溝と同じ光軸方向位置に到達するまで、撮影者はフードのレンズ鏡筒に対する相対的な回転方向位置が正しくないことを認識できない。
そのため撮影者は、フード側バヨネット爪がレンズ鏡筒の円弧状溝と同じ光軸方向位置に到達した後にフードをレンズ鏡筒から前方に離間させ、その後にフードを上記所定位置にセットした上で改めてフードを後方に移動させてレンズ鏡筒に取り付けなければならなかった。
【０００８】
本発明は、レンズ鏡筒に対する回転方向位置を正しい位置にセットしていない状態でフードをレンズ鏡筒に対して取り付けようとしたときに、アクセサリー側のバヨネット爪がレンズ鏡筒の隣接するレンズ側バヨネット爪の間に形成された隙間を通過する前にアクセサリーのレンズ鏡筒に対する回転方向位置が正しい位置に位置していないことを撮影者が認識可能なレンズ鏡筒とアクセサリーのバヨネット構造を提供することを目的とする。
【課題を解決するための手段】
【０００９】
本発明のレンズ鏡筒とアクセサリーのバヨネット構造は、複数のレンズ側バヨネット爪及び隣接する上記レンズ側バヨネット爪の間に位置する複数の円弧状部を有するレンズ鏡筒と、アクセサリー側バヨネット爪を具備するアクセサリーと、を備え、隣接する上記レンズ側バヨネット爪の間の隙間を通過させた上記アクセサリー側バヨネット爪を上記レンズ側バヨネット爪の直後に位置させることにより、上記レンズ鏡筒に対する上記アクセサリーの取付状態を保持するバヨネット構造において、上記レンズ鏡筒の上記円弧状部が、対をなす第一円弧状部及び該第一円弧状部とは周方向位置が異なりかつ同対数の第二円弧状部を有し、上記アクセサリーの上記アクセサリー側バヨネット爪が、対をなすアクセサリー側第一バヨネット爪及び該アクセサリー側第一バヨネット爪とは周方向位置が異なりかつ同対数のアクセサリー側第二バヨネット爪を有し、上記第一円弧状部と上記第二円弧状部の外径を異ならせかつ上記アクセサリー側第一バヨネット爪と上記アクセサリー側第二バヨネット爪の内径を異ならせることにより、上記レンズ鏡筒と上記アクセサリーの相対回転位置が所定位置になったときのみ、上記アクセサリー側第一バヨネット爪が上記第一円弧状部を通過可能かつ上記アクセサリー側第二バヨネット爪が上記第二円弧状部を通過可能としたことを特徴としている。
【００１０】
上記レンズ鏡筒の外周面に、外周側に向かって突出する偶数対の上記レンズ側バヨネット爪及び該レンズ側バヨネット爪よりも外径が小さくかつ同数の上記円弧状部を設け、上記アクセサリーが、上記レンズ鏡筒の上記外周面に対して遊嵌可能な取付孔を有し、該取付孔の内周面に、内周側に向かって突出しかつ上記レンズ側バヨネット爪と同数の偶数対を有する上記アクセサリー側バヨネット爪を設け、上記アクセサリー側第一バヨネット爪の周方向長をＦ、上記アクセサリー側第二バヨネット爪の周方向長をＧ、上記第一円弧状部の周方向長をＨ、上記第二円弧状部の周方向長をＩ、とするとき、以下の条件式（１）を満足するのが好ましい。Ｈ、Ｉ＞Ｆ、Ｇ・・・式（１）
【００１１】
上記レンズ鏡筒の外周面に、外周側に向かって突出する偶数対の上記レンズ側バヨネット爪及び該レンズ側バヨネット爪よりも外径が小さくかつ同数の上記円弧状部を設け、上記アクセサリーが、上記レンズ鏡筒の上記外周面に対して遊嵌可能な取付孔を有し、該取付孔の内周面に、内周側に向かって突出しかつ上記レンズ側バヨネット爪と同数の偶数対を有する上記アクセサリー側バヨネット爪を設け、対をなす上記アクセサリー側第一バヨネット爪の内径をＡ、対をなす上記アクセサリー側第二バヨネット爪対の内径をＢ、対をなす上記第一円弧状部の外径をＣ、対をなす上記第二円弧状部の外径をＤ、上記取付孔の内周面と該内周面に対する上記レンズ鏡筒の対向部の径方向クリアランスをＥ、とするとき、以下の条件式（２）（３）を満足するのが好ましい。Ａ＞Ｃ＞Ｂ＞Ｄ・・・式（２）、Ｃ−Ｂ−Ｅ／２＞０・・・式（３）
さらに上記取付孔の上記内周面の上記アクセサリー側バヨネット爪より前方の部位に、上記アクセサリー側第一バヨネット爪とは周方向位置が異なりかつ同対数のアクセサリー側第三バヨネット爪及び上記アクセサリー側第二バヨネット爪とは周方向位置が異なりかつ同対数のアクセサリー側第四バヨネット爪を設け、対をなす上記アクセサリー側第三バヨネット爪の内径をＡとし、対をなす上記アクセサリー側第四バヨネット爪の内径をＢとしてもよい。
【００１２】
上記レンズ側バヨネット爪を周方向に９０°間隔で四つ設け、上記第一円弧状部対、上記第二円弧状部対、上記アクセサリー側第一バヨネット爪対、上記アクセサリー側第二バヨネット爪対、上記アクセサリー側第三バヨネット爪対、及び上記アクセサリー側第四バヨネット爪対を周方向に１８０°間隔で一対ずつ設けてもよい。
【発明の効果】
【００１３】
本発明によれば、レンズ鏡筒に対する回転方向位置を正しい位置にセットしていない状態でフードをレンズ鏡筒に対して取り付けようとしたときに、アクセサリーのアクセサリー側バヨネット爪がレンズ鏡筒の隣接するレンズ側バヨネット爪の間に形成された隙間を通過する前にアクセサリーのレンズ鏡筒に対する回転方向位置が正しい位置に位置していないことを撮影者は認識可能である。
【図面の簡単な説明】
【００１４】
【図１】本発明の一実施形態のレンズ鏡筒とフードの分離状態の斜視図である。
【図２】（ａ）はフードの正面図であり、（ｂ）はレンズ側マウントブロックの正面図である。
【図３】回転方向位置を正規位置にセットしたフードのフード側バヨネット爪がレンズ鏡筒の円弧状隙間を後方に向かって通過したときの正面図である。
【図４】レンズ鏡筒と同心をなすフードの回転方向位置を正規位置から９０°ずれた状態にセットした上でフード側バヨネット爪をレンズ鏡筒側の円弧状隙間に挿入しようとしたときの正面図である。
【図５】フードとレンズ鏡筒が偏心している場合の図４と同様の正面図である。
【図６】フードをレンズ鏡筒に対して装着したときの正面図である。
【図７】図３−図６とはフードの前後向きを逆にしたときの図３に対応する正面図である。
【図８】図３−図６とはフードの前後向きを逆にしたときの図４に対応する正面図である。
【図９】図３−図６とはフードの前後向きを逆にしたときの図５に対応する正面図である。
【図１０】図３−図６とはフードの前後向きを逆にしたときの図６に対応する正面図である。
【図１１】本発明の変形例の図３と同様の正面図である。
【発明を実施するための形態】
【００１５】
以下、図１−図１０を参照しながら本発明の一実施形態について説明する。なお以下の説明中の前後方向は図中の矢印方向を基準としている。
本実施形態のカメラは、カメラボディ（図示略）に対して着脱可能な交換式のレンズ鏡筒１０と、レンズ鏡筒１０の前端部に対して着脱可能な硬質樹脂製のフード２５（アクセサリー）と、を備えている。
レンズ鏡筒１０は円筒状をなす鏡筒本体１１と、レンズ側マウントブロック１２とを備えている。鏡筒本体１１の内部には複数のレンズからなるレンズ群（図示略）が配設してある。鏡筒本体１１はレンズ群の（前後方向に延びる）光軸ＯＡを中心とする回転対称形状である。
【００１６】
硬質樹脂製（金属製でもよい）のレンズ側マウントブロック１２は鏡筒本体１１の前端部に対して固定してある。レンズ側マウントブロック１２は光軸ＯＡを中心とする断面円形の環状部材である。
レンズ側マウントブロック１２の外周面の前端部には外周側に向かって突出する四つの正面視円弧状のレンズ側バヨネット爪１３が突設してある。各レンズ側バヨネット爪１３は周方向に等角度間隔（９０°間隔）で設けてある。四つのレンズ側バヨネット爪１３は、互いに１８０°離れた一対のレンズ側第一バヨネット爪１４と同じく互いに１８０°離れた一対のレンズ側第二バヨネット爪１５とからなるものである。一対のレンズ側第一バヨネット爪１４の周方向長及びその径方向寸法は互いに同一であり、一対のレンズ側第二バヨネット爪１５の周方向長及びその径方向寸法は互いに同一である。各レンズ側第二バヨネット爪１５の外周面にはロック溝１５ａが凹設してある。
さらにレンズ側マウントブロック１２の外周面のレンズ側バヨネット爪１３（レンズ側第一バヨネット爪１４、レンズ側第二バヨネット爪１５）と同じ前後位置に位置する部位には、隣接するレンズ側第一バヨネット爪１４とレンズ側第二バヨネット爪１５の間に形成した四つの円弧状部１６が外周側に向けて突設してある。四つの円弧状部１６は、互いに１８０°離れた一対の第一円弧状部１７と同じく互いに１８０°離れた一対の第二円弧状部１８とからなるものである。但し、第一円弧状部１７の（レンズ鏡筒１０の）径方向寸法（幅）は第二円弧状部１８より大きい。さらに一対の第一円弧状部１７の外径及び一対の第二円弧状部１８の外径は一対のレンズ側第一バヨネット爪１４の外径及び一対のレンズ側第二バヨネット爪１５の外径より小さい。
さらに隣接するレンズ側第一バヨネット爪１４及びレンズ側第二バヨネット爪１５と第一円弧状部１７の外周縁部とで囲まれた空間は第一円弧状空間１９を構成しており、隣接するレンズ側第一バヨネット爪１４及びレンズ側第二バヨネット爪１５と第二円弧状部１８の外周縁部とで囲まれた空間は第二円弧状空間２０を構成している。
さらにレンズ側マウントブロック１２の外周部には、レンズ側バヨネット爪１３及び円弧状部１６から後方に僅かに離れた位置（直後）に位置しかつ光軸ＯＡを中心とする環状ストッパ面２１（図１参照）が形成してある。環状ストッパ面２１は光軸ＯＡに対して直交する平面である。環状ストッパ面２１の外径は円弧状部１６並びに後述するフード側第一バヨネット爪３１及びフード側第三バヨネット爪３６の内径より大きい。そのためレンズ鏡筒１０（レンズ側マウントブロック１２）を光軸ＯＡに沿って環状ストッパ面２１を前方から見ると、レンズ側バヨネット爪１３の直後に位置する部分はレンズ側第一バヨネット爪１４及びレンズ側第二バヨネット爪１５によって完全に覆われる一方で、円弧状部１６の直後に位置する部分はその外周側部分が前方に露出する（環状ストッパ面２１の内周側部分は円弧状部１６によって覆われる）。
さらにレンズ側マウントブロック１２の外周面には、環状ストッパ面２１の直後に位置しかつ環状ストッパ面２１の外径と同径の環状取付面２２が形成してある。環状取付面２２は光軸ＯＡを中心とする円筒面である。
【００１７】
フード２５は光軸ＯＡを中心とする断面円形の環状部材である。フード２５の内側には光軸ＯＡを中心とする貫通孔が形成してあり、該貫通孔の後端部は光軸ＯＡを中心とする円筒面からなる取付孔２６によって構成してある。取付孔２６の内径はレンズ側マウントブロック１２の環状取付面２２の外径より僅かに大きい。さらにフード２５の前半部は、周方向に等角度間隔（１８０°間隔）で設けた一対の長寸遮光部２７と、同じく等角度間隔で設けた一対の短寸遮光部２８と、が形成してある。
さらにフード２５の取付孔２６の内周面には、内周側に向かって突出する四つの正面視円弧状の通常使用時バヨネット爪３０（アクセサリー側バヨネット爪）と通常使用時バヨネット爪３０より一段前方に位置する四つの正面視円弧状の逆向き使用時バヨネット爪３５（アクセサリー側バヨネット爪）が突設してある。
四つの通常使用時バヨネット爪３０は、互いに１８０°離れた一対のフード側第一バヨネット爪３１（アクセサリー側第一バヨネット爪）と同じく互いに１８０°離れた一対のフード側第二バヨネット爪３２（アクセサリー側第二バヨネット爪）とからなるものである。一対のフード側第二バヨネット爪３２の内径は一対のフード側第一バヨネット爪３１の内径より小さい。
四つの逆向き使用時バヨネット爪３５は、互いに１８０°離れた一対のフード側第三バヨネット爪３６（アクセサリー側第三バヨネット爪）と同じく互いに１８０°離れた一対のフード側第四バヨネット爪３７（アクセサリー側第四バヨネット爪）とからなるものである。一対のフード側第三バヨネット爪３６の内径は一対のフード側第一バヨネット爪３１の内径と同一であり、一対のフード側第四バヨネット爪３７の内径は一対のフード側第二バヨネット爪３２の内径と同一である。またフード側第三バヨネット爪３６の周方向長はフード側第一バヨネット爪３１と同一であり、フード側第四バヨネット爪３７の周方向長はフード側第二バヨネット爪３２と同一である。さらに各フード側第四バヨネット爪３７の長手方向の中央部には、各フード側第四バヨネット爪３７を二つの部位に分断する切欠き３７ａが形成してある。さらに図示するように各フード側第三バヨネット爪３６の周方向位置は各フード側第一バヨネット爪３１に対して一方向に所定角だけずれており、同様に各フード側第四バヨネット爪３７の周方向位置は各フード側第二バヨネット爪３２に対して一方向に当該所定角だけずれている。即ち、フード側第三バヨネット爪３６及びフード側第四バヨネット爪３７は、光軸ＯＡを通ってフード２５の径方向に延びる所定の基準線に関してフード側第一バヨネット爪３１及びフード側第二バヨネット爪３２を反転させた形状である（但し、欠き３７ａは除く）。
フード２５の内周面に形成した凹部には、二つのフード側第二バヨネット爪３２の直前に位置しかつ光軸ＯＡ方向位置がフード側第三バヨネット爪３６（及びフード側第四バヨネット爪３７）と同一である二つの通常使用時ロック部材３８が（前後方向に延びる中心軸回りに）回転可能に取り付けてある。各通常使用時ロック部材３８は正面視円形をなすものであり、その一部は取付孔２６より内周側に突出している。またフード２５の内周面に形成した凹部には、二つのフード側第四バヨネット爪３７（切欠き３７ａ）の直後に位置しかつ光軸ＯＡ方向位置がフード側第二バヨネット爪３２（及びフード側第一バヨネット爪３１）と同一である二つの逆向き使用時ロック部材３９が（前後方向に延びる中心軸回りに）回転可能に取り付けてある。各逆向き使用時ロック部材３９は通常使用時ロック部材３８と同一仕様であり、その一部は取付孔２６より内周側に突出している。
【００１８】
レンズ側マウントブロック１２とフード２５の各部位の寸法は以下の条件式（１）−（３）を満たしている。但し、一対のフード側第一バヨネット爪３１の内径及び一対のフード側第三バヨネット爪３６の内径をＡ、一対のフード側第二バヨネット爪３２の内径及び一対のフード側第四バヨネット爪３７の内径をＢ、一対の第一円弧状部１７の外径をＣ、一対の第二円弧状部１８の外径をＤ、レンズ側マウントブロック１２の環状取付面２２（外周面）（対向部）とフード２５の取付孔２６の径方向クリアランスの総量をＥ、フード側第一バヨネット爪３１及びフード側第三バヨネット爪３６の周方向長をＦ、フード側第二バヨネット爪３２及びフード側第四バヨネット爪３７の周方向長をＧ、第一円弧状部１７の周方向長をＨ、第二円弧状部１８の周方向長をＩ、とする。
Ｈ、Ｉ＞Ｆ、Ｇ・・・式（１）
Ａ＞Ｃ＞Ｂ＞Ｄ・・・式（２）
Ｃ−Ｂ−Ｅ／２＞０・・・式（３）
【００１９】
続いてフード２５をレンズ側マウントブロック１２に対して着脱する要領について説明する。
まず長寸遮光部２７及び短寸遮光部２８が前方に位置する場合について説明する。
最初にレンズ側マウントブロック１２の直前に位置させたフード２５をレンズ側マウントブロック１２に対して同心をなすようにし、さらにフード２５のレンズ側マウントブロック１２に対する回転方向位置を図３に示す正規位置にする。
この状態でフード２５を光軸ＯＡに沿って後方に移動させると、図３に示すように、一対のフード側第一バヨネット爪３１が一対の第一円弧状空間１９をそれぞれ後方に通り抜けかつフード側第一バヨネット爪３１の後端面が環状ストッパ面２１に当接するので、フード２５はレンズ側マウントブロック１２に対してそれ以上は後方へ移動不能となる。さらに一対のフード側第三バヨネット爪３６が一対の第一円弧状空間１９内にそれぞれ位置する。同様に、一対のフード側第二バヨネット爪３２が一対の第二円弧状空間２０をそれぞれ後方に通り抜け、フード側第二バヨネット爪３２の後端面が環状ストッパ面２１に当接し、さらに一対のフード側第四バヨネット爪３７が一対の第二円弧状空間２０内にそれぞれ位置する。
図３の状態からフード２５をレンズ側マウントブロック１２に対して正面視で時計方向に所定角度回転させると、図６に示すように、レンズ側マウントブロック１２の各レンズ側第一バヨネット爪１４とレンズ側第二バヨネット爪１５の直後にフード２５のフード側第一バヨネット爪３１とフード側第二バヨネット爪３２がそれぞれ位置するので、フード２５のレンズ側マウントブロック１２に対する前方への相対移動が規制される。さらに一対のレンズ側第二バヨネット爪１５のロック溝１５ａに対して一対の通常使用時ロック部材３８（の取付孔２６より内周側に突出する部位）が回転かつ僅かに弾性変形しながら係合する（このときフード２５全体が僅かに弾性変形する）。さらにこのとき一対のフード側第三バヨネット爪３６に形成した回転規制部（ストッパ）が一対のレンズ側第一バヨネット爪１４に形成した回転規制部（ストッパ）に対してそれぞれ当接するので、フード２５のレンズ側マウントブロック１２に対する正面視時計方向の相対回転が規制される。
このようにしてレンズ側マウントブロック１２に対してフード２５を装着すると、フード２５のレンズ側マウントブロック１２に対する光軸ＯＡ方向移動及び相対回転が規制されるので、フード２５がレンズ側マウントブロック１２から不意に脱落するおそれは殆どなくなる。
撮影者が手でフード２５を把持しながらフード２５をレンズ側マウントブロック１２に対して正面視で反時計方向に回転させると、各レンズ側第二バヨネット爪１５（ロック溝１５ａ）と通常使用時ロック部材３８の係合が解除されるので、レンズ側マウントブロック１２及びフード２５を図３に示す状態に移行させることが可能である。そしてレンズ側マウントブロック１２及びフード２５が図３に示す状態になった後に撮影者が手でフード２５をレンズ側マウントブロック１２に対して光軸ＯＡに沿って前方に移動させれば、フード２５をレンズ側マウントブロック１２から前方に取り外すことが可能である。
【００２０】
続いて、長寸遮光部２７及び短寸遮光部２８が前方に位置する状態のフード２５を、レンズ側マウントブロック１２に対して同心をなしかつ図４に示す非正規位置（図３の正規位置から正面視で時計方向に約９０°回転させた位置）にセットしながら、フード２５をレンズ側マウントブロック１２に装着する場合について説明する。
この場合にフード２５を光軸ＯＡに沿って後方に移動させると、図４に示すように、一対の第一円弧状部１７に対して一対のフード側第二バヨネット爪３２が前方から当接する。そのためフード２５はレンズ側マウントブロック１２に対してそれ以上は後方へ移動不能となる。従って、撮影者はこの時点（フード側第一バヨネット爪３１及びフード側第二バヨネット爪３２が第一円弧状空間１９及び第二円弧状空間２０を通過する前の時点）でフード２５のレンズ側マウントブロック１２に対する回転方向位置が正規位置に位置していないことを認識可能である。そのため撮影者は、図４の状態からフード２５をレンズ側マウントブロック１２に対して一方向に回転させて一対のフード側第一バヨネット爪３１を一対の第一円弧状空間１９の直前に位置させかつ一対のフード側第二バヨネット爪３２を一対の第二円弧状空間２０の直前に位置させ、その後にフード２５をレンズ側マウントブロック１２に対して後方に移動させ（一対のフード側第一バヨネット爪３１を一対の第一円弧状空間１９に対して後方に通り抜けさせかつ一対のフード側第二バヨネット爪３２を一対の第二円弧状空間２０に対して後方に通り抜けさせ）、さらにフード２５をレンズ側マウントブロック１２に対して正面視で時計方向に所定角度回転させることにより、フード２５をレンズ側マウントブロック１２に対して装着できる。
【００２１】
さらに図５を用いながら長寸遮光部２７及び短寸遮光部２８が前方に位置する状態のフード２５をレンズ側マウントブロック１２に対して非正規位置に位置させかつレンズ側マウントブロック１２に対してＥ／２だけ偏心させながらフード２５をレンズ側マウントブロック１２に装着する場合について説明する。
レンズ側マウントブロック１２とフード２５の間にはＣ−Ｂ−Ｅ／２＞０・・・式（３）の関係が成立している。そのためこの場合も、フード２５を光軸ＯＡに沿って後方に移動させると一対の第一円弧状部１７に対して一対のフード側第二バヨネット爪３２が前方から当接する（図５参照）。従って、この場合も撮影者はこの時点（フード側第一バヨネット爪３１及びフード側第二バヨネット爪３２が第一円弧状空間１９及び第二円弧状空間２０を通過する前の時点）でフード２５のレンズ側マウントブロック１２に対する回転方向位置が正規位置に位置していないことを認識可能である。
【００２２】
次ぎに長寸遮光部２７及び短寸遮光部２８を後方に位置する状態（図３−図６とは逆向きの状態）でレンズ側マウントブロック１２の直前に位置させたフード２５をレンズ側マウントブロック１２に対して同心をなすようにしながらレンズ側マウントブロック１２に対して装着する要領について図７−図１０を用いながら説明する。
この場合にフード２５のレンズ側マウントブロック１２に対する回転方向位置を図７に示す正規位置に位置させると、一対のフード側第三バヨネット爪３６が一対の第一円弧状空間１９をそれぞれ後方に通り抜けかつフード側第三バヨネット爪３６の後端面が環状ストッパ面２１に当接するので、フード２５はレンズ側マウントブロック１２に対してそれ以上は後方へ移動不能となる。さらに一対のフード側第一バヨネット爪３１が一対の第一円弧状空間１９内にそれぞれ位置する。同様に、一対のフード側第四バヨネット爪３７が一対の第二円弧状空間２０をそれぞれ後方に通り抜け、フード側第四バヨネット爪３７の後端面が状ストッパ面２１に当接し、さらに一対のフード側第二バヨネット爪３２が一対の第二円弧状空間２０内にそれぞれ位置する。
図７の状態からフード２５をレンズ側マウントブロック１２に対して正面視で時計方向に所定角度回転させると、図１０に示すように、レンズ側マウントブロック１２の各レンズ側第一バヨネット爪１４とレンズ側第二バヨネット爪１５の直後にフード２５のフード側第三バヨネット爪３６とフード側第四バヨネット爪３７がそれぞれ位置するので、フード２５のレンズ側マウントブロック１２に対する前方への相対移動が規制される。さらに一対のレンズ側第二バヨネット爪１５のロック溝１５ａに対して一対の逆向き使用時ロック部材３９（の取付孔２６より内周側に突出する部位）が回転かつ僅かに弾性変形しながら係合する。さらに一対のフード側第二バヨネット爪３２に形成した回転規制部（ストッパ）が一対のレンズ側第二バヨネット爪１５に形成した回転規制部（ストッパ）に対してそれぞれ当接するので、フード２５のレンズ側マウントブロック１２に対する正面視時計方向の相対回転が規制される。このようにしてレンズ側マウントブロック１２に対してフード２５を装着すると、長寸遮光部２７及び短寸遮光部２８が前方に位置する場合と同様に、フード２５のレンズ側マウントブロック１２に対する光軸ＯＡ方向移動及び相対回転が規制されるので、フード２５がレンズ側マウントブロック１２から不意に脱落するおそれは殆どなくなる。
【００２３】
続いて、フード２５をレンズ側マウントブロック１２に対して同心をなしかつ図８に示す非正規位置にセットしながら、フード２５をレンズ側マウントブロック１２に装着する場合について説明する。
この場合にフード２５を光軸ＯＡに沿って後方に移動させると、図８に示すように、一対の第一円弧状部１７に対して一対のフード側第四バヨネット爪３７が前方から当接する。そのためフード２５はレンズ側マウントブロック１２に対してそれ以上は後方へ移動不能となる。従って、撮影者はこの時点（フード側第三バヨネット爪３６及びフード側第四バヨネット爪３７が第一円弧状空間１９及び第二円弧状空間２０を通過する前の時点）でフード２５のレンズ側マウントブロック１２に対する回転方向位置が正規位置に位置していないことを認識可能である。そのため撮影者は、図８の状態からフード２５をレンズ側マウントブロック１２に対して一方向に回転させて一対のフード側第三バヨネット爪３６を一対の第一円弧状空間１９の直前に位置させかつ一対のフード側第四バヨネット爪３７を一対の第二円弧状空間２０の直前に位置させ、その後にフード２５をレンズ側マウントブロック１２に対して後方に移動させ（一対のフード側第三バヨネット爪３６を一対の第一円弧状空間１９に対して後方に通り抜けさせかつ一対のフード側第四バヨネット爪３７を一対の第二円弧状空間２０に対して後方に通り抜けさせ）、さらにフード２５をレンズ側マウントブロック１２に対して正面視で時計方向に所定角度回転させることにより、フード２５をレンズ側マウントブロック１２に対して装着できる。
【００２４】
さらに図９を用いながらフード２５をレンズ側マウントブロック１２に対して非正規位置に位置させかつレンズ側マウントブロック１２に対してＥ／２だけ偏心させながらレンズ側マウントブロック１２に装着する場合について説明する。
レンズ側マウントブロック１２とフード２５の間にはＣ−Ｂ−Ｅ／２＞０・・・式（３）の関係が成立している。そのためこの場合も、フード２５を光軸ＯＡに沿って後方に移動させると一対の第一円弧状部１７に対して一対のフード側第四バヨネット爪３７が前方から当接する（図９参照）。従って、この場合も撮影者はこの時点（フード側第三バヨネット爪３６及びフード側第四バヨネット爪３７が第一円弧状空間１９及び第二円弧状空間２０を通過する前の時点）でフード２５のレンズ側マウントブロック１２に対する回転方向位置が正規位置に位置していないことを認識可能である。
【００２５】
以上、本発明を上記各実施形態に基づいて説明したが、本発明は上記実施形態に限定されるものではなく、様々な変形を施しながら実施可能である。
例えば図１１に示す態様で実施可能である。
図１１のレンズ側マウントブロック１２’は四つの正面視円弧状のレンズ側バヨネット爪１３’を備えている。四つのレンズ側バヨネット爪１３’は、互いに１８０°離れた一対のレンズ側第一バヨネット爪１４’と同じく互いに１８０°離れた一対のレンズ側第二バヨネット爪１５’とからなるものである。一対のレンズ側第一バヨネット爪１４’どうしの径方向寸法（幅）は互いに同一であり、一対のレンズ側第二バヨネット爪１５’どうしの径方向寸法（幅）は互いに同一である。さらに二つのレンズ側第二バヨネット爪１５’の周方向長は二つのレンズ側第一バヨネット爪１４’より長い。また各レンズ側第二バヨネット爪１５’の外周面にはロック溝１５ａ’が凹設してある。
さらにレンズ側マウントブロック１２’の外周面のレンズ側バヨネット爪１３’（レンズ側第一バヨネット爪１４’、レンズ側第二バヨネット爪１５’）と同じ前後位置に位置する部位には、隣接するレンズ側第一バヨネット爪１４’とレンズ側第二バヨネット爪１５’の間に形成した四つの円弧状部１６’が外周側に向けて突設してある。四つの円弧状部１６’は、互いにおおよそ１８０°離れた一対の第一円弧状部１７’と同じく互いにおおよそ１８０°離れた一対の第二円弧状部１８’とからなるものである。
さらに隣接するレンズ側第一バヨネット爪１４’及びレンズ側第二バヨネット爪１５’と第一円弧状部１７’の外周縁部とで囲まれた空間は第一円弧状空間１９’を構成しており、隣接するレンズ側第一バヨネット爪１４’及びレンズ側第二バヨネット爪１５’と第二円弧状部１８’の外周縁部とで囲まれた空間は第二円弧状空間２０’を構成している。
フード２５’（アクセサリー）の取付孔２６’の内周面には、内周側に向かって突出する四つの正面視円弧状の通常使用時バヨネット爪３０’が突設してある。四つの通常使用時バヨネット爪３０’は、一対のフード側第一バヨネット爪３１’ （アクセサリー側第一バヨネット爪）と一対のフード側第二バヨネット爪３２’（アクセサリー側第二バヨネット爪）とからなるものである。一対のフード側第二バヨネット爪３２’の内径は一対のフード側第一バヨネット爪３１’の内径より小さい。一対のフード側第一バヨネット爪３１’どうしは周方向に１８０°から僅かにずれた位置にあり、一対のフード側第二バヨネット爪３２’どうしも周方向に１８０°から僅かにずれた位置にある。
フード２５’の内周面には、二つのフード側第二バヨネット爪３２’の直前に位置する二つの通常使用時ロック部材３８’が固定してある。各通常使用時ロック部材３８’の一部は取付孔２６’より内周側に突出している。
レンズ側マウントブロック１２’とフード２５’の各部位の寸法は以下の条件式（１）−（３）を満たしている。但し、一対のフード側第一バヨネット爪３１’の内径をＡ、一対のフード側第二バヨネット爪３２’の内径をＢ、一対の第一円弧状部１７’の外径をＣ、一対の第二円弧状部１８’の外径をＤ、レンズ側マウントブロック１２’の環状取付面２２（対向部）とフード２５’の取付孔２６’の径方向クリアランスの総量をＥ、フード側第一バヨネット爪３１’の周方向長をＦ、フード側第二バヨネット爪３２’の周方向長をＧ、第一円弧状部１７’の周方向長をＨ、第二円弧状部１８’の周方向長をＩ、とする。
Ｈ、Ｉ＞Ｆ、Ｇ・・・式（１）
Ａ＞Ｃ＞Ｂ＞Ｄ・・・式（２）
Ｃ−Ｂ−Ｅ／２＞０・・・式（３）
この変形例のレンズ側マウントブロック１２’とフード２５’も式（１）−（３）を満足しているので上記実施形態と同様の作用効果を発揮可能である（但し、フード２５’を逆向きにしてレンズ側マウントブロック１２’に装着することはできない）。
なおこの変形例のフード２５’に逆向き使用時バヨネット爪３５（フード側第三バヨネット爪３６、フード側第四バヨネット爪３７）に対応する逆向き使用時バヨネット爪を形成し、さらに逆向き使用時ロック部材３９を設けてもよい。
【００２６】
なおレンズ側マウントブロック１２、１２’のレンズ側バヨネット爪及び円弧状部並びにフード２５、２５’のアクセサリー側バヨネット爪（通常使用時バヨネット爪及び逆向き使用時バヨネット爪）は、偶数対（かつ互いに同対数）であればその総数は四つ以外であってもよい。但し、第一円弧状部と第二円弧状部を同数にし、かつ、アクセサリー側第一バヨネット爪（アクセサリー側第三バヨネット爪）とアクセサリー側第二バヨネット爪（アクセサリー側第四バヨネット爪）を同数にする必要がある。
またレンズ側マウントブロック１２、１２’のレンズ側バヨネット爪１３、１３’（レンズ側第一バヨネット爪１４、１４’とレンズ側第二バヨネット爪１５、１５’の一方）（の外周面）の外周面（対向部）とフード２５の取付孔２６（の内周面）の径方向クリアランスの総量をＥとしてもよい。
さらにフード２５、２５’とは別のレンズ鏡筒用アクセサリー（例えば、レンズカバー、フィルターなど）とレンズ鏡筒１０の間に本発明を適用してもよい。
【符号の説明】
【００２７】
１０    レンズ鏡筒
１１    鏡筒本体
１２  １２’  レンズ側マウントブロック
１３  １３’  レンズ側バヨネット爪（対向部）
１４  １４’  レンズ側第一バヨネット爪
１４ａ  １４ａ’  ロック溝
１５  １５’  レンズ側第二バヨネット爪
１６  １６’  円弧状部
１７  １７’  第一円弧状部
１８  １８’  第二円弧状部
１９  １９’  第一円弧状隙間
２０  ２０’  第二円弧状隙間
２１    環状ストッパ面
２２    環状取付面（外周面）（対向部）
２５  ２５’  フード（アクセサリー）
２６  ２６’  取付孔
２７    長寸遮光部
２８    短寸遮光部
３０  ３０’  通常使用時バヨネット爪（アクセサリー側バヨネット爪）
３１  ３１’  フード側第一バヨネット爪（アクセサリー側第一バヨネット爪）
３２  ３２’  フード側第二バヨネット爪（アクセサリー側第二バヨネット爪）
３５    逆向き使用時バヨネット爪（アクセサリー側バヨネット爪）
３６    フード側第三バヨネット爪（アクセサリー側第三バヨネット爪）
３７    フード側第四バヨネット爪（アクセサリー側第四バヨネット爪）
３７ａ  切欠き
３８    通常使用時ロック部材
３９    逆向き使用時ロック部材
ＯＡ    光軸
【図１】
2016042107.tif 000003
【図２】
2016042107.tif 000004
【図３】
2016042107.tif 000005
【図４】
2016042107.tif 000006
【図５】
2016042107.tif 000007
【図６】
2016042107.tif 000008
【図７】
2016042107.tif 000009
【図８】
2016042107.tif 000010
【図９】
2016042107.tif 000011
【図１０】
2016042107.tif 000012
【図１１】
2016042107.tif 000013